(57)【要約】【課題】インターネットを介して放送される多数のコンテンツ番組のうち利用者の要求に対応したコンテンツ番組の番組表を作成すると共に、利用者に指示されたコンテンツ番組の配信を仲介する仲介サーバの提供。【解決手段】仲介サーバ７００は、視聴要求サービス情報を記憶する利用者登録情報記憶手段４０１と、配信サーバ２００が配信するコンテンツ番組の番組情報を記憶するサービス情報記憶手段４０３と、上記記憶手段４０１に記憶された視聴要求サービス情報に該当する上記記憶手段４０３に記憶された番組情報を利用者に送信することによって、利用者の指定によって選択されたコンテンツ番組の番組情報を利用者毎に記憶した利用者番組ガイド記憶手段４０２とを備え、利用者の視聴要求に応じ、上記記憶手段４０２に記憶された番組情報を送信し、選択されたコンテンツ番組の送信要求を該当する配信サーバ２００に行う。【選択図】図２
2010258873.tif 000002
【特許請求の範囲】
【請求項１】
利用者のコンテンツ視聴端末及びコンテンツ配信サーバと接続され、
少なくとも利用者の視聴要求サービス情報を記憶する利用者登録情報記憶手段と、
少なくとも前記コンテンツ配信サーバが配信するコンテンツ番組の番組情報を記憶するサービス情報記憶手段と、
前記利用者登録情報記憶手段に記憶された利用者の視聴要求サービス情報に該当する前記サービス情報記憶手段に記憶された番組情報を利用者に送信することによって、利用者からの指定によって選択及び／又は検索されたコンテンツ番組の番組情報を利用者毎に記憶した利用者番組ガイド記憶手段と、を備え、
利用者の視聴要求に応じ、前記利用者番組ガイド記憶手段に記憶された番組情報を送信し、該送信に応じ選択されたコンテンツ番組を配信するコンテンツ配信サーバに当該コンテンツ番組の送信要求を行うことを特徴とするコンテンツ仲介サーバ。
【請求項２】
前記利用者登録情報記憶手段は、さらに、利用者のコンテンツ視聴端末の機種情報を記憶し、
前記サービス情報記憶手段に記憶した番組情報及び前記利用者番組ガイド記憶手段に記憶した番組情報をそれぞれ、前記機種情報に基づいた番組表及び利用者番組ガイド表として前記コンテンツ視聴端末に送信することを特徴とする請求項１に記載のコンテンツ仲介サーバ。
【発明の詳細な説明】
【技術分野】
【０００１】
本発明は、多数のテレビ番組がインターネットを通じて放送される場合に、利用者専用の番組ガイドを作成し、利用者が選択した視聴したい番組の提供を仲介するコンテンツ仲介サーバに関するものである。
【背景技術】
【０００２】
テレビ放送は、これまで電波塔から電波で各住宅の受信アンテナに送信され、利用者は宅内の端末でテレビ番組を視聴してきた。そして近年は、インターネットの普及から、インターネット上の映像コンテンツ配信サーバから各宅内の端末に映像コンテンツが配信され、利用者はパソコンやテレビなどの端末で配信された映像コンテンツを視聴するようになっている。ただ現在のところ、インターネットの伝送速度はテレビ放送の電波による伝送速度ほど速くなく、配信される映像コンテンツをリアルタイムに大画面で視聴できる状況に至っていない。しかし、今後光ファイバーによる高速伝送路や、ＮＧＮ（Next Generation Network）といわれる高速基幹ネットワークが整備されることでインターネットの伝送速度は従来のテレビ放送の電波による伝送速度と同等になると考えられている。さらにインターネットによるコンテンツ配信は、電波塔からの電波の届かない地球の裏からでも配信が可能なので、世界中のテレビ番組がインターネットを通して視聴できるようになる、と考えられている。
また、利用者は、番組録画して後日再生視聴したい場合は、ビデオレコーダなどを番組視聴端末に接続して使用しているが、インターネット上にテレビ番組を記録するといったｎＰＶＲ（network Private Video Recorder）が考えられている。
【先行技術文献】
【特許文献】
【０００３】
【特許文献１】特開２００３−３０７９９３号公報
【発明の概要】
【発明が解決しようとする課題】
【０００４】
こうした状況を想定すると、世界中の多数のテレビ局がテレビ番組を世界中に配信することになり、利用者が視聴したい番組を選択するための番組表は従来のものよりも非常に多くのチャンネルを含むこととなる。こういった状況では利用者は視聴したい番組を選択することが困難となる。
また、インターネットは従来の電波によるテレビ放送とは異なり双方向通信であるため、利用者からコンテンツ配信サーバである放送局へ情報を送ることが可能である。放送番組に広告を掲載する広告事業者は、より効率のよい広告方法を求めるが、利用者の年齢や性別、嗜好などの情報は、その利用者への広告方法をより効率のよいものにするために大いに役立つ。しかし、世界中の多数のテレビ局であるコンテンツ配信サーバが直接、利用者の視聴端末とデータ交換することは現実的ではなく、効率よい仕組みが必要とされる。
さらに、利用者が一人で従来のビデオデッキやネットワーク上のｎＰＶＲを複数利用するようになると、これらをまとめて管理する必要が生じる。
テレビ番組が、インターネットを通じて配信されるようになると映像コンテンツに付随して広告の詳細情報や俳優の衣装など付属の情報がデジタルデータとして配信されることになる。一方、利用者はデジタル情報を携帯電話やパソコンなどさまざまな端末で利用しているので、テレビ番組と共に配信される広告などの情報を番組視聴端末以外の端末で簡単に利用したいといった要望が生じる。
【０００５】
本発明は、このような状況を鑑み、インターネットを介して放送される多数のコンテンツ番組のうち利用者の要求に対応したコンテンツ番組の番組表を作成すると共に、利用者に指示されたコンテンツ番組の配信を仲介するコンテンツ仲介サーバを提供するものである。
【課題を解決するための手段】
【０００６】
上記課題を解決するために、本発明の第１の技術手段は、コンテンツ仲介サーバであって、利用者のコンテンツ視聴端末及びコンテンツ配信サーバと接続され、少なくとも利用者の視聴要求サービス情報を記憶する利用者登録情報記憶手段と、少なくとも前記コンテンツ配信サーバが配信するコンテンツ番組の番組情報を記憶するサービス情報記憶手段と、前記利用者登録情報記憶手段に記憶された利用者の視聴要求サービス情報に該当する前記サービス情報記憶手段に記憶された番組情報を利用者に送信することによって、利用者からの指定によって選択及び／又は検索されたコンテンツ番組の番組情報を利用者毎に記憶した利用者番組ガイド記憶手段と、を備え、利用者の視聴要求に応じ、前記利用者番組ガイド記憶手段に記憶された番組情報を送信し、該送信に応じ選択されたコンテンツ番組を配信するコンテンツ配信サーバに当該コンテンツ番組の送信要求を行うことを特徴としたものである。
【０００７】
本発明の第２の技術手段は、第１の技術手段において、前記利用者登録情報記憶手段が、さらに、利用者のコンテンツ視聴端末の機種情報を記憶し、前記サービス情報記憶手段に記憶した番組情報及び前記利用者番組ガイド記憶手段に記憶した番組情報をそれぞれ、前記機種情報に基づいた番組表及び利用者番組ガイド表として前記コンテンツ視聴端末に送信することを特徴としたものである。
【発明の効果】
【０００８】
本発明によれば、コンテンツ仲介サーバが世界中の多数のテレビ番組を管理整理して番組表を利用者に提供することで、利用者は視聴したい番組を容易に選択することができるようになる。
また、コンテンツ仲介サーバが利用者の嗜好や視聴履歴などから、コンテンツ配信サーバが広告を配信する際に必要とする利用者の視聴番組のジャンルなどの情報をコンテンツ配信サーバに提供することにより、コンテンツ配信サーバは、利用者により効果的な広告を配信することが可能となる。
また、一人の利用者がインターネットを介して複数の録画再生装置を有するとき、仲介サーバはこれら録画再生装置を管理することで、利用者は録画番組を用意に再生したり、仲介サーバの番組表から録画予約を容易に行ったりすることができる。
また、利用者は映像コンテンツを視聴し、付随するコンテンツ情報を別の端末で参照したいときには、テレビなどの利用者端末からコンテンツ情報をパソコンや携帯電話に転送し、パソコンで詳細な情報にアクセスしたり、携帯電話を携帯しながら屋外でもコンテンツ情報を参照できたりできるようになる。
【図面の簡単な説明】
【０００９】
【図１】映像配信システムの概略構成図である。
【図２】映像配信システムの詳細構成図である。
【図３】ｎＰＶＲの映像コンテンツ記憶手段であるＤＢである。
【図４】利用者端末の映像コンテンツ記憶手段であるＤＢである。
【図５】利用者端末の転送先情報記憶手段であるＤＢである。
【図６】仲介サーバの利用者登録情報記憶手段であるＤＢである。
【図７】仲介サーバのサービス情報記憶手段であるＤＢである。
【図８】仲介サーバの利用者利用状況記憶手段であるＤＢである。
【図９】仲介サーバの利用者番組ガイド記憶手段であるＤＢである。
【図１０】仲介サーバの利用者録画再生装置情報記憶手段であるＤＢである。
【図１１】仲介サーバの利用者録画状況記憶手段であるＤＢである。
【図１２】仲介サーバが利用者番組ガイドを作成し利用者番組ガイド記憶手段に記憶する際の動作を説明するフローチャートである。
【図１３】利用者が配信サーバからの配信番組を視聴する際の利用者端末と仲介サーバと配信サーバの動作を説明するフローチャートである。
【図１４】利用者が番組録画予約する際の利用者端末と仲介サーバとの動作を説明するフローチャートである。
【図１５】利用者が番組録画予約した番組が録画される際の、仲介サーバと配信サーバとｎＰＶＲの動作を説明するためのフローチャートである。
【図１６】利用者が録画予約した番組を再生する際の利用者端末と仲介サーバと録画再生装置との動作を説明するためのフローチャートである。
【図１７】利用者がリモコンを用いて利用者端末からコンテンツ情報を第２の利用者端末に転送する際の利用者端末の動作を説明するためのフローチャートである。
【発明を実施するための形態】
【００１０】
（第１の実施例）
［全体概要］
以下、本発明の実施形態を図面を用いて説明する。
図１は、本発明の実施の形態に係る映像配信システムの概略構成図である。
電波放送局７００からはテレビ番組が電波を媒体に放送されている。利用者は、利用者端末６００で電波を受信し、モニタ９００に映像を映してテレビ番組を視聴する。利用者端末６００の制御はリモコン８００を用いて行われる。
一方、利用者端末６００はインターネット１０１に接続しており、同じくインターネット１０１に接続する配信サーバ３００から映像コンテンツの配信サービスを受けて、電波放送局７００からのテレビ番組と同じようにモニタに映像を映してサービスを受ける。
インターネット１０１に接続するｎＰＶＲ２００は、利用者が所望する映像コンテンツを録画し、利用者が所望する時に再生利用する。
インターネット１０１に接続するコンテンツ仲介サーバ（以下、仲介サーバ）４００は、利用者が配信サービスを受ける際に利用者及び配信サーバ事業者の仲介を行い両者に有益なサービスを提供する。
第２の利用者端末５００は、例えば携帯電話やパソコンなどで、利用者端末６００と広告の詳細情報などの情報コンテンツに関するデータを送受信する。図１では第２の利用者端末５００はインターネット１０１と接続しているがこの例に限らず宅内ＬＡＮを介して利用者端末６００と通信することもありうる。
なお、図示していないが一人の利用者または一つの利用者端末６００に対してｎＰＶＲ２００と配信サーバ３００は複数存在するものとする。
【００１１】
［個別構成］
図２は、本発明の実施形態に係わる映像配信システムの構成図における各構成部の内部構成要素と、各構成部間のデータの授受関係を図示したものである。
【００１２】
［配信サーバ］
配信サーバ３００は、インターネット１０１に接続し、放送番組である映像コンテンツを利用者端末６００やｎＰＶＲ２００に配信する。事前に仲介サーバ４００に配信可能な番組表を届けておき、利用者からの配信要求を仲介サーバ４００から受信する。また配信サーバ３００は仲介サーバ４００から配信要求と同時にあるいは定期的に利用者の嗜好や視聴番組履歴など、放送番組と共に配信する広告を選定する際に利用される利用者情報を受信し、利用者に対しより効果的な広告を配信する。
【００１３】
［仲介サーバ］
仲介サーバ４００は、インターネット１０１に接続し、利用者端末６００と配信サーバ３００の仲介を行う。仲介サーバは、複数の世界中で利用可能な配信サーバ３００から番組表を集め、利用者端末６００を通して利用者に所望の番組を選択させる。
また、利用可能な番組表を編集して利用者が所望する番組表として利用者番組ガイドを作成する。
仲介サーバ４００は、利用者の嗜好や利用者の番組視聴履歴を利用者端末６００などから収集してこれを記憶し、配信サーバ３００が広告などを配信する際に利用する利用者情報を配信サーバ３００に提供する。
仲介サーバ４００は、利用者端末６００から番組の配信要求を受信すると、該番組を配信する配信サーバ３００に利用者端末６００への配信要求を送信する。
利用者は仲介サーバ４００を利用するにあたりサービス利用の契約を結ぶ。仲介サーバ４００は各配信サーバ３００の利用料金をまとめて利用者から徴収し、各配信サーバ３００に利用料を支払うビジネス形態をとってもよい。
仲介サーバ４００は、利用者の録画番組および録画予約番組を管理する。利用者が番組表から所望の番組を録画予約すると、配信サーバは指定の利用者端末６００あるいはｎＰＶＲ２００に配信するよう配信サーバ３００に配信要求を送信する。
また、利用者端末６００から所望の録画番組の再生要求を受けると、その録画番組が録画されているｎＰＶＲ２００にその録画番組を利用者端末６００に配信するよう配信要求を送信する。
【００１４】
仲介サーバ４００は、利用者登録情報記憶手段４０１、サービス情報記憶手段４０３、利用者利用状況記憶手段４０５、利用者番組ガイド記憶手段４０２、利用者録画再生装置情報記憶手段４０４、利用者録画状況記憶手段４０６、番組表作成手段４０７、利用者番組作成手段４０８、配信サーバ要求情報生成手段４１０、ネットワークデータ送受信手段４１１、及びこれらを制御し各種データの転送、種々の演算、データの一時的な格納などを行うことにより後述するような動作を機能させる制御部４０９を有する。
【００１５】
［利用者登録情報記憶手段］
利用者登録情報記憶手段４０１は、図６に示すようなデータベースで、仲介サーバ４００が提供するサービスを購入申し込みして登録を行った登録者を識別する登録者ＩＤ４０１ａと、登録者の連絡先４０１ｂと、登録者がカード決済を行うためのカードの種類とカード番号である決済情報４０１ｃと、登録申し込みを行ったサービスを識別する登録サービス（本発明に関わる「視聴要求サービス情報」の一例）４０１ｄと、登録者が登録するサービスを利用する複数の利用者の利用者ＩＤ４０１ｅと、利用者が利用者端末から仲介サーバにアクセスする際のログインパスワードである利用者ログインパスワード４０１ｆと、利用者の年齢、性別４０１ｇと、利用者が使用する利用者端末の機種番号である利用者端末機種番号４０１ｈと、ＩＰアドレスなど利用者端末のインターネット１０１上のアドレスである利用者端末アドレス４０１ｉが記憶される。
【００１６】
図６では登録サービス４０１ｄとして世界各国の放送番組を無制限に選択できる国別無制限サービスと、日本と、フランスの２カ国限定で放送番組を視聴できる２カ国限定の例を示している。
利用者端末機種番号４０１ｈは、配信サーバや仲介サーバが利用者端末６００の画面サイズや処理速度、処理可能なデータ形式などに応じて利用者端末へのデータ（例えば、後述の利用者番組ガイド表）を適切なものにするために利用される。
【００１７】
［サービス情報記憶手段］
サービス情報記憶手段４０３は、図７に示すようなデータベースで、利用可能な配信サーバを識別する配信サーバＩＤ４０３ａと、ＩＰアドレスなどインターネット１０１上の配信サーバアドレス４０３ｂと、配信サーバの名称４０３ｃと、配信サーバが配信コンテンツと同時に配信する広告などを有効活用するために要求する利用者情報項目である要求情報項目（本発明に関わる「コンテンツ配信サーバが要求する利用者情報」の一例）４０３ｄと、配信サーバの所属国４０３ｅと、配信サーバが提供している利用可能なチャンネルＩＤ４０３ｆと、チャンネル名称４０３ｇと、各チャンネルのＥＰＧ（Electronic Program Guide）情報４０３ｈが記憶されている。
【００１８】
図７では、ＥＰＧ情報として各番組の日付、放送時刻、タイトル、番組概要、ジャンルが時系列順に記録されている例を示している。
また図７では、配信サーバＩＤ‘ｘｘｘ’は要求情報項目として利用者の性別と年齢と主な視聴ジャンルを要求しており、配信サーバ‘ｙｙｙ’は要求情報項目として主な視聴ジャンルを要求している例を示している。
またサービス情報記憶手段は、電波放送局７００から放送されるＥＰＧ情報も、上記配信サーバのサービス情報と同様に記憶するものとする。この時の配信サーバアドレス４０３ｂと要求情報項目４０３ｄは空である。仲介サーバ４００はインターネット１０１上の配信サーバ３００が提供する番組も、電波放送局７００から放送される番組も同じ一つの番組表として利用者に提供する。
【００１９】
［利用者利用状況記憶手段］
利用者利用状況記憶手段４０５は、図８に示すようなデータベースで、利用者ＩＤ４０５ａと、利用者が利用者端末を操作した操作履歴である、利用者端末操作履歴４０５ｂが記憶されている。
図８では、利用者端末操作履歴４０５ｂとして、利用した利用者端末機種番号と操作した時刻と、番組視聴やコンテンツ情報の転送など操作内容と、視聴番組のタイトルやジャンルあるいは転送されたコンテンツ情報のジャンルなどのコンテンツ内容とが時系列順に記録されている例を示している。
なおここで用いる利用者ＩＤ４０５ａと利用者端末機種番号は、利用者登録情報記憶手段４０１で記憶されている利用者ＩＤ４０１ｅと利用者端末機種番号４０１ｈとに同じものである。
【００２０】
［利用者番組ガイド記憶手段］
利用者番組ガイド記憶手段４０２は、図９に示すようなデータベースで、利用者ＩＤ４０２ａと、利用者番組ガイドに表示するチャンネルＩＤ４０２ｂと、チャンネル名称４０２ｃと、各チャンネルのＥＰＧ情報（本発明に関わる「番組情報」の一例）４０２ｄが記憶されている。
【００２１】
図９ではチャンネルＩＤが‘ｘｘｘ’と‘ｙｙｙ’に同じチャンネル名称‘ＸＸＸ’が設定されている。これは、後述するように、利用者から指定されたキーワードやジャンルなどにより検索した番組を一つのチャンネル名称に割り当てた例で、検索結果に含まれる番組を放送するチャンネルのチャンネルＩＤが複数ある場合の例である。このときＥＰＧ情報には、検索結果の番組のＥＰＧ情報のみが記憶され、チャンネルで放送される検索結果以外の番組のＥＰＧ情報は記憶されない。
なおここで用いる利用者ＩＤ４０２ａは、利用者登録情報記憶手段４０１で記憶されている利用者ＩＤ４０１ｅに同じものであり、チャンネルＩＤ４０２ｂは、サービス情報記憶手段４０３で記憶されているチャンネルＩＤ４０３ｆに同じである。
【００２２】
［利用者録画再生装置情報記憶手段］
利用者録画再生装置情報記憶手段４０４は、図１０に示すようなデータベースで、利用者ＩＤ４０４ａと、利用者が仲介サーバを介して利用可能なすべてのｎＰＶＲおよび録画再生機能を有する利用者端末を識別する録画再生装置ＩＤ４０４ｂと、録画再生装置と通信する際に必要となるＩＰアドレス４０４ｃと、利用者が録画再生装置にアクセスする際に必要となるログインＩＤとパスワード４０４ｄと、利用者が該録画再生装置で利用可能なデータ容量の残量４０４ｅと、利用者が録画再生装置を利用する優先順位４０４が記憶されている。
なおここで用いる利用者ＩＤ４０４ａは、利用者登録情報記憶手段４０１で記憶されている利用者ＩＤ４０１ｅに同じものである。
【００２３】
［利用者録画状況記憶手段］
利用者録画状況記憶手段４０６は、図１１に示すようなデータベースで、利用者ＩＤ４０６ａと、録画予約された番組を識別する録画番組ＩＤ４０６ｂと、録画予約された番組のＥＰＧ情報を表す録画番組情報４０６ｃと、番組を録画する録画再生装置を識別する録画再生装置ＩＤ４０６ｄと、録画状況４０６ｅと、録画予約された番組の放送チャンネルのチャンネルＩＤ４０６ｆが記憶されている。
【００２４】
図１１では録画番組情報４０６ｃとして番組の日付と放送時刻とタイトルと番組概要とジャンルが記録されている。
録画状況４０６ｅでは、たとえば番組放送時からある期間配信サーバが番組をＶＯＤする見逃しサービスを行っている場合、見逃しという録画状況もありうる。
図１１では利用者ＩＤ‘ｑｑｑ’、録画番組ＩＤ‘ｃ’の録画状況は‘見逃し１２月３０日’であり、１２月３０日までこの番組は見逃しサービス期間にあり、放送時刻が既に過ぎているにもかかわらずまだ録画が行われていないことを示している。仲介サーバ４００は見逃しサービス終了日間近まで実際には録画命令を利用者のｎＰＶＲ（以下、録画再生装置と適宜表記する）２００に送信せず、もし利用者がそれまでに録画予約をキャンセルすれば、配信サーバ３００から指定の番組を配信することをしなくてすむことになる。
【００２５】
あるいは、見逃しサービス終了日までに利用者が指定の番組を再生するよう要求すれば、その時点で仲介サーバ４００は配信サーバ３００へ利用者の録画再生装置２００に指定の番組を送信し、同時に利用者端末６００に指定の番組を配信するよう要求を送信したりする。
あるいは見逃しサービス終了日間近まで利用者が録画予約をキャンセルしなければその時点で利用者に見逃しサービス終了を警告し録画をするかどうか選択させてもよいし、あるいは自動的に録画を開始してもよい。
なお、利用者ＩＤ４０６ａは利用者登録情報記憶手段４０１の利用者ＩＤ４０１ｅと同じであり、チャンネルＩＤ４０６ｆと録画番組情報４０６ｃはサービス情報記憶手段４０３のチャンネルＩＤ４０３ｆとＥＰＧ情報４０３ｈの一番組部分に同じであり、録画再生装置ＩＤ４０６ｄは、利用者録画再生装置情報記憶手段４０４の録画再生装置ＩＤ４０４ｂに同じである。
【００２６】
［番組表作成手段］
番組表作成手段４０７は、各種記憶手段から番組表作成に必要なデータを取り出して利用可能なすべての番組表や、利用者番組ガイド表や録画番組表など各種番組表や利用者が仲介サーバ４００を利用するための操作画面を作成する。作成された番組表はネットワークデータ送受信手段４１１によって利用者端末６００に送信され、利用者がモニタ９００で視聴しながらリモコン８００などを操作して番組を選択することになる。
作成される番組表の各番組には配信サーバＩＤやチャンネルＩＤ及びＥＰＧ情報の該番組に対応する情報が関連付けられているものとする。
【００２７】
利用可能なすべての番組表を作成する際には、利用者登録情報記憶手段４０１の利用者ＩＤ４０１ｅから利用者の登録サービス４０１ｄを参照し、サービス情報記憶手段４０３から登録サービスに応じて視聴可能な配信局の視聴可能なチャンネルのＥＰＧ情報を取り出し、利用者登録情報記憶手段４０１の利用者端末機種番号４０１ｈを参照し、利用者端末６００で視聴可能な表形式の番組表を作成する。
たとえば図６の利用者ＩＤ‘ｊｊｊｊ’は登録サービスが日本とフランスの２カ国限定なので、図７の配信サーバＩＤが‘ｘｘｘ’と‘ｙｙｙ’のＥＰＧ情報のみを取り出して番組表を作成する。
利用者番組ガイド表を作成する際には、利用者番組ガイド記憶手段４０２の利用者ＩＤ４０２ａから対応するチャンネルのＥＰＧ情報を取り出し、利用者登録情報記憶手段４０１の利用者端末機種番号４０１ｈを参照し、利用者端末６００で視聴可能な表形式の番組表を作成する。
録画番組表を作成する際には、利用者録画状況記憶手段４０６の利用者ＩＤ４０６ａから対応する録画番組情報と録画状況などを取り出し、利用者登録情報記憶手段４０１の利用者端末機種番号４０１ｈを参照し、利用者端末６００で視聴可能な表形式の番組表を作成する。
【００２８】
［利用者番組作成手段］
利用者番組作成手段４０８は、利用者が利用可能なすべての番組表から番組検索を行って番組を選択させたり、チャンネルを選択させたりするためのＧＵＩ（Graphic User Interface）を番組表作成手段４０７で作成させ、選択及び／又は検索された番組やチャンネルの番組情報情報を利用者番組ガイド記憶手段４０２に記憶する。
【００２９】
［配信サーバ要求情報生成手段］
配信サーバ要求情報生成手段４１０は、サービス情報記憶手段４０３の配信サーバＩＤ４０３ａに対応する要求情報項目４０３ｄを取り出し、一方で利用者利用状況記憶手段４０５の利用者ＩＤ４０５ａから対応する利用者端末操作履歴４０５ｂを取り出し、また必要であれば利用者登録情報記憶手段４０１から利用者の年齢、性別４０１ｇなどを参照し、該要求情報項目４０３ｄに対応する項目を抽出し、配信サーバ３００が要求する利用者情報（配信サーバ要求情報）を生成する。
【００３０】
［ネットワークデータ送受信手段］
ネットワークデータ送受信手段４１１は、インターネット１０１に接続し配信サーバ３００、ｎＰＶＲ２００、利用者端末６００などとデータの送受信を行う。
配信サーバ３００には、利用者が所望する番組を配信するよう配信要求を送信したり、配信サーバが番組配信時に同時に配信する広告を作成するに当たり利用する利用者の視聴履歴や嗜好などの情報を送信したりする。
また配信サーバ３００からは、配信可能な番組表を受信したり、利用者が配信番組を受信時にデータを復号する際に必要とするデコード鍵を受信したり、広告を作成するに当たり必要とする利用者情報の項目を受信したりする。
また、利用者端末６００からは番組配信要求を受信したり、番組表や利用者番組ガイド表の閲覧や編集の制御命令を受信したり、ｎＰＶＲへの録画予約や再生・停止などの制御命令を受信したり、利用者端末６００の操作履歴を受信したりする。
また、利用者端末６００へは利用者が所望の操作ができるように番組表や利用者番組ガイド表の画面情報を送信したり、ｎＰＶＲ２００の操作画面情報を送信したり、配信サーバから配信される番組データを復号するためのデコード鍵を送信したりする。
通信方式はＩＰパケット通信などを用い、データ送信時には送信元のＩＰアドレスも送信される。
また、ｎＰＶＲ２００へは利用者端末６００からの制御命令を送信したり、動作状況や利用者が利用可能な記録メディアの残量などを問い合わせたりする。
【００３１】
［ｎＰＶＲ］
ｎＰＶＲ２００は、インターネット１０１に接続し利用者が所望する番組を録画保存し、再生を行う。録画・再生などの制御命令は仲介サーバ４００から受信し、利用者端末６００に録画コンテンツを配信したり、配信サーバから配信される映像コンテンツを録画する。
映像コンテンツ記憶手段２０３、ネットワークデータ送受信手段２０２及びこれらを制御し各種データの転送、種々の演算、データの一時的な格納などを行うことにより後述するような動作を機能させる制御部２０１を有する。
【００３２】
［映像コンテンツ記憶手段］
映像コンテンツ記憶手段２０３は、図３に示すようなデータベースで、利用者ＩＤ２０３ａ，録画予約された番組を識別する録画番組ＩＤ２０３ｂ、録画番組のＥＰＧ情報として、日付、放送時刻、タイトル、番組概要、ジャンルを表す録画番組ＥＰＧ２０３ｃと、録画番組データが記録メディアのどの位置に記録されているかを示すストリームデータ２０３ｄが記憶されている。
また、図３では利用者ＩＤ‘１２３’の録画番組ＩＤと利用者ＩＤ‘４５６’の録画番組ＩＤが共に‘ｃ’で同一の番組を記録メディアの‘ｐｑｒ’に録画している例を示している。
このような場合、映像コンテンツ記憶手段２０３は利用者の数だけ同じ番組データを複数個所記録メディアに記録する必要はなく、１箇所に記録すればよい。ｎＰＶＲ２００は利用者の要望に応じて記録メディアに記録される同一の番組データをそれぞれの利用者端末６００に配信すればよい。このようにすることで記録メディアの有効利用が行われる。
【００３３】
［ネットワークデータ送受信手段］
ネットワークデータ送受信手段２０２は、インターネット１０１に接続し、配信サーバ３００から映像コンテンツを受信したり、利用者端末６００に映像コンテンツを送信したり、仲介サーバ４００に映像コンテンツ記憶手段２０３でデータベースに記憶する利用者の情報を送信したり、仲介サーバから録画予約や再生・停止・早送りなどの制御命令を受信したり、利用者が利用可能な記録メディアの残量や録画が正常に動作しているかどうか仲介サーバ４００からの問い合わせに応答を返したりする。
通信方式はＩＰパケット通信などを用い、データ送信時には送信元のＩＰアドレスも送信される。
【００３４】
［利用者端末］
利用者端末６００は、リモコン８００や記述しないが利用者端末６００に装備の制御スイッチを利用者が操作することで動作する。インターネット１０１に接続し仲介サーバ４００を通じて利用可能な番組表から番組を選択し、所望する番組の配信を仲介サーバに要求する。配信サーバ３００から映像コンテンツを受信すると暗号化やデータ圧縮が施されていればこれを復号しモニタ９００に映像を表示する。
また、仲介サーバ４００を介してｎＰＶＲ２００への録画予約や録画番組の再生命令を送信し、ｎＰＶＲ２００から配信される映像コンテンツを受信しモニタ９００に映像を表示する。
また、映像コンテンツに含まれる、広告や番組に関連する情報またはそれらのＵＲＬなどのコンテンツ情報を第２の利用者端末５００に転送する機能を有する。
また、番組視聴や録画再生番組など操作履歴を記憶し、仲介サーバ４００に操作履歴を送信する。
また、利用者端末６００は映像コンテンツを録画・再生する機能を有してもよい。
利用者端末６００には、利用者端末機種番号を有し、利用者端末を起動し使用している利用者ＩＤとログインＩＤとパスワードが記憶されているものとする。
【００３５】
利用者端末６００は、映像コンテンツ記憶手段６０１、転送先情報記憶手段６０２、リモコン信号送受信手段６０３、転送用コンテンツ情報作成手段６０５、映像フレーム作成手段６０４、映像コンテンツ復号手段、ネットワークデータ送受信手段６０７、電波放送受信手段６０８、及びこれらを制御し各種データの転送、種々の演算、データの一時的な格納などを行うことにより後述するような動作を機能させる制御部６０９を有する。
【００３６】
［映像コンテンツ記憶手段］
映像コンテンツ記憶手段６０１は、図４に示すようなデータベースで、利用者ＩＤ６０１ａ，録画予約された番組を識別する録画番組ＩＤ６０１ｂ、録画番組のＥＰＧ情報として、日付、放送時刻、タイトル、番組概要、ジャンルを表す録画番組ＥＰＧ６０１ｃと、録画番組データが記録メディアのどの位置に記録されているかを示すストリームデータ６０１ｄが記憶されている。
利用者ＩＤ６０１ａは、利用者端末６００を家族など複数の利用者で利用する場合に用いられる。
【００３７】
［転送先情報記憶手段］
転送先情報記憶手段６０２は、コンテンツ情報を転送するために必要な情報をデータベースで記憶する。具体的には、図５のように利用者ＩＤ６０２ａ、転送先を利用者が識別するためのテキスト情報である転送先名６０２ｂ、転送する際に利用する通信媒体６０２ｃ、通信プロトコル６０２ｄ、転送先のＩＰアドレスや、メールアドレスなどのアドレス情報６０２ｅである。
【００３８】
［リモコン信号送受信手段］
リモコン信号送受信手段６０３は、リモコン８００から制御信号を受信したり、リモコンにコンテンツ情報を送信したりする。赤外線通信が用いられるが、ＩＥＥＥ８０２．１５．４など別の通信方式でもよい。
【００３９】
［転送用コンテンツ情報作成手段］
転送用コンテンツ情報作成手段６０５は、制御部６０９の制御により転送先情報と利用者が転送を希望したコンテンツ情報の入力を受けると、転送先情報に応じてコンテンツ情報を処理し、リモコン信号送信手段６０３やネットワーク送受信手段６０７にデータ出力を行う。
たとえば、転送先情報の通信プロトコル６０２ｄがｓｅｎｄｍａｉｌの場合は、コンテンツ情報をＭＩＭＥ（Multipurpose Internet Mail Extensions）形式に加工する。あるいは転送先情報の通信プロトコル６０２ｄがＩｒＤＡであれば、コンテンツ情報をＩｒＤＡのデータフォーマットに加工する。
【００４０】
［映像フレーム作成手段］
映像フレーム作成手段６０４は、映像コンテンツ復号手段６０６から映像コンテンツとコンテンツ情報を入力しモニタ９００に映像を出力するためのＲＧＢ信号やＹＲＢ信号を作成しモニタに信号を出力する。
また、制御部６０９からコンテンツ情報を転送するための操作画面情報を入力した場合は、これをＲＧＢ信号などに変換しモニタ９００に信号を出力する。
また映像コンテンツ復号手段６０６から、番組表や操作画面の画面情報を入力する場合も、これをＲＧＢ信号などに変換しモニタ９００に信号を出力する。
【００４１】
［映像コンテンツ復号手段］
映像コンテンツ復号手段６０６は、入力データが圧縮されていれば解凍処理を行い、また暗号化されていれば復号を行って、映像コンテンツとコンテンツ情報を作成する。
復号にデコード鍵が必要な場合は、仲介サーバ４００から事前に受信するかあるいは図示しないがＩＣカードなどを利用者端末６００に装着しＩＣカードから事前にデコード鍵を入手すればよい。
【００４２】
［ネットワークデータ送受信手段］
ネットワークデータ送受信手段６０７は、インターネット１０１に接続し配信サーバ３００から番組コンテンツの配信を受信したり、ｎＰＶＲ２００から録画番組の配信を受信したり、仲介サーバ４００に、利用者端末６００の操作履歴を送信したり、番組表や利用者番組ガイド表や録画番組表やその他操作画面の情報を受信したり、録画予約や再生・停止などｎＰＶＲ２００を制御するための制御命令を送信したり、利用者番組ガイド表を編集するための制御命令を送信したり、番組視聴を要求する制御命令を送信したりする。
なお、仲介サーバ４００にデータ送信する場合には、利用者ＩＤと利用者ログインパスワードと利用者端末機種番号を同時に送信するものとする。
通信方式はＩＰパケット通信などを用い、データ送信時には送信元のＩＰアドレスも送信される。
また、無線ＬＡＮや赤外線通信などで第２の利用者端末５００と通信を行う。
【００４３】
［電波放送受信手段］
電波放送受信手段６０８は、電波放送局７００から送信される電波を受信しアナログデータをデジタルデータに変換し、映像コンテンツ復号手段６０６にデータを出力する。
【００４４】
［リモコン］
リモコン８００は、赤外線通信で制御信号を利用者端末６００に送信する。利用者は、リモコン８００を用いて利用者端末６００の制御を遠隔に行う。
リモコン８００は第２の利用者端末５００である場合もありうる。この場合は、赤外線通信で利用者端末からコンテンツ情報の受信を行う。
【００４５】
［モニタ］
モニタ９００は利用者端末６００からＲＧＢやＹＲＢの映像信号を受信し映像をＬＥＤパネルなどに映し出す。
【００４６】
［第２の利用者端末］
第２の利用者端末５００は、携帯電話やパソコンやリモコンなどであり、利用者端末６００と赤外線や無線ＬＡＮやインターネットを通じて通信を行い、利用者端末６００で受信する映像コンテンツに含まれるコンテンツ情報を利用者端末６００から受信する。利用者は第２の利用者端末５００で受信するコンテンツ情報を利用してコンテンツに関係するクーポン券などの情報にインターネット１０１を通じてアクセスしたりする。
【００４７】
［電波放送局］
電波放送局７００は、地上波放送や衛星放送など電波を媒体に放送を行い、放送番組を利用者端末６００に配信する。
【００４８】
個別動作
［初期登録］
［利用者番組ガイド作成］
図１２は、仲介サーバ４００が利用者番組ガイドを作成し利用者番組ガイド記憶手段４０２に記憶する際の動作を説明するフローチャートである。
利用者は仲介サーバ４００が経営する店頭窓口などで、サービス加入手続きを行い、利用者登録情報記憶手段４０１のデータベースに必要な情報を加入申込書などに記入する。仲介サーバ４００は加入申込書にある情報を利用者登録情報記憶手段４０１のデータベースに入力する（Ｓ１０１）。
【００４９】
配信サーバ３００からは定期的にサービス情報が仲介サーバ４００に送られる（Ｓ１０２）。図示していないが配信サーバ３００は複数存在するものとする。
また、仲介サーバ４００は電波放送局７００から放送される番組情報もインターネット１０１の番組情報を配信するサーバなどから入手し、これらサービス情報をサービス情報記憶手段４０３のデータベースに記憶する（Ｓ１０３）。また、利用者番組ガイド記憶手段４０２のデータベースに登録されているチャンネルや番組の情報を入手したサービス情報を用いて最新のデータに更新する。
【００５０】
利用者がリモコン８００などを操作し利用者端末６００から仲介サーバ４００に番組表要求が送られると（Ｓ１０４）、仲介サーバ４００は、番組表要求の中に含まれる利用者ＩＤと利用者ログインパスワードで利用者を認証し、利用者番組作成手段４０８によって利用者ＩＤを元に利用者登録情報記憶手段４０１のデータベースを参照し、利用可能な番組選択表を作成し（Ｓ１０５）、番組選択表を利用者端末６００に送信する（Ｓ１０６）。番組表要求には、検索のためのキーワードが含まれていてもよい。その場合利用者番組作成手段４０８は、利用可能な番組からキーワード検索を行った結果の番組を選択番組表として利用者端末６００に送信する。
【００５１】
利用者端末６００は、選択番組表を受信するとこれをモニタ９００に表示し、利用者はリモコン８００などを操作して所望の番組やチャンネルを選択する（Ｓ１０７）。
利用者が所望するなら複数のチャンネルや番組を繰り返し選択し（Ｓ１０８）、選択したチャンネルと番組を利用者番組ガイドに登録するよう仲介サーバ４００に登録要求を送信する（Ｓ１０９）。
仲介サーバ４００は、利用者番組作成手段４０８によって登録要求された番組やチャンネルを利用者番組ガイド記憶手段４０２のデータベースに記録する（Ｓ１１０）。
【００５２】
［番組視聴］
図１３は、利用者が配信サーバ３００からの配信番組を視聴する際の利用者端末６００と仲介サーバ４００と配信サーバ３００の動作を説明するフローチャートである。
利用者端末６００は、利用者が利用者端末の操作を行うたびに操作履歴を記憶し（Ｓ２０１）、定期的に仲介サーバ４００に利用者の操作履歴を送信する（Ｓ２０２）。あるいは、図示していないが仲介サーバ４００から操作履歴の送信要求を受信するに応じて操作履歴を送信する。
操作履歴は、操作した時刻、録画予約や再生、早送りなどの操作内容、操作を行ったコンテンツのタイトルやジャンルなどのコンテンツ内容などで構成される。
【００５３】
仲介サーバ４００が利用者履歴を受信すると受信時に同時に送られる利用者ＩＤを元に、利用者利用状況記憶手段４０５のデータベースに利用者履歴を記録する（Ｓ２０３）。
利用者が番組を視聴したい場合には、利用者端末６００を操作して、利用者端末６００から利用者番組ガイド表要求命令を送信する（Ｓ２０４）。
仲介サーバ４００はこれを受信すると受信時に同時に送られる利用者ＩＤを元に、番組表作成手段４０８によって利用者番組ガイド表を作成し（Ｓ２０５）、要求元の利用者端末６００に利用者番組ガイド表を送信する（Ｓ２０６）。
【００５４】
利用者端末６００は、受信した利用者番組ガイド表をモニタ９００に表示する。利用者はモニタを見ながらリモコン８００などを用いて所望の番組を選択する（Ｓ２０７）。
利用者端末６００は選択された番組に関連付けられている配信サーバＩＤとチャンネルＩＤとＥＰＧ情報の該番組部分を、番組視聴要求命令として仲介サーバ４００に送信する（Ｓ２０８）。
【００５５】
仲介サーバ４００はこれを受信すると受信時に同時に送られる利用者ＩＤを元に、配信サーバ要求情報生成手段４１０により配信サーバ要求情報を作成し（Ｓ２０９）、サービス情報記憶手段４０３のデータベースを参照し配信サーバＩＤ４０３ａで識別される配信サーバアドレス４０３ｂに、該番組視聴要求命令と、作成した配信サーバ要求情報と、番組配信先となる利用者端末のＩＰアドレスを送信する（Ｓ２１０）。
そして、配信サーバ３００からデコード鍵が送信されるのを待つ。
【００５６】
配信サーバ３００はこれを受信すると、配信番組を復号する際に必要となるデコード鍵を仲介サーバ４００に送信する（Ｓ２１１）。
仲介サーバ４００は、受信したデコード鍵を、番組視聴要求命令を送信してきた利用者端末６００に送信する（Ｓ２１２）。
【００５７】
配信サーバ３００は、デコード鍵を仲介サーバ４００に送信した後配信サーバ要求情報を利用して利用者向けの広告を番組視聴要求命令のＥＰＧ情報の番組部分で指定される配信番組に挿入し（Ｓ２１３）、広告が挿入された配信番組を利用者端末６００のＩＰアドレスに送信する（Ｓ２１４）。
利用者端末６００は、配信サーバ３００から受信する配信番組を仲介サーバ４００から受信したデコード鍵を用いて復号しモニタ９００に映像コンテンツを表示する（Ｓ２１５）。
【００５８】
［録画予約］
図１４は、利用者が番組録画予約する際の利用者端末６００と仲介サーバ４００との動作を説明するフローチャートである。
利用者が番組を視聴したい場合には、利用者端末６００を操作して、利用者端末６００から利用者番組ガイド表要求命令を送信する（Ｓ３０１）。
仲介サーバ４００はこれを受信すると受信時に同時に送られる利用者ＩＤを元に、利用者番組ガイド記憶手段４０２を参照し、番組表作成手段４０７によって利用者番組ガイド表を作成し（Ｓ３０２）、要求元の利用者端末６００に利用者番組ガイド表を送信する（Ｓ３０３）。
【００５９】
利用者端末６００は、受信した利用者番組ガイド表をモニタ９００に表示する（Ｓ３０４）。
利用者はモニタを見ながらリモコン８００などを用いて録画したい所望の番組を選択する（Ｓ３０５）。
利用者端末６００は選択された番組に関連付けられている配信サーバＩＤとチャンネルＩＤとＥＰＧ情報の該番組部分を、番組録画予約要求命令として仲介サーバ４００に送信する（Ｓ３０６）。
【００６０】
仲介サーバ４００はこれを受信すると受信時に同時に送られる利用者ＩＤを元に、利用者録画再生装置情報記憶手段４０４から利用者の録画再生装置を選択し、さらに受信したＥＰＧ情報の該番組部分の放送時刻情報から録画した場合の録画メディア使用量を算出し、選択された録画再生装置２００の残量と比較し、録画可能な録画再生装置を選別し、番組表作成手段４０７を用いて利用者が録画再生装置２００を選択する画面情報を作成する（Ｓ３０７）。
そしてこの利用者が録画再生装置２００を選択する画面情報を利用者端末６００に送信する（Ｓ３０８）。
【００６１】
利用者端末６００は、受信した画面情報をモニタ９００に表示し、利用者に録画再生装置２００を選択させる（Ｓ３０９）。利用者端末６００は、選択された録画再生装置２００の情報を、仲介サーバ４００に送信する（Ｓ３１０）。
仲介サーバ４００はこれを受信すると、該番組録画予約要求命令に含まれる情報と共に、受信時に同時に送られる利用者ＩＤを元に、利用者録画状況記憶手段４０６のデータベースに録画予約の情報を追加し、録画予約された番組の放送時刻に後述する録画フローが起動するようにタイマを設定する（Ｓ３１１）。
【００６２】
［録画］
図１５は、利用者が番組録画予約した番組が録画される際の、仲介サーバ４００と配信サーバ３００とｎＰＶＲ２００の動作を説明するためのフローチャートである。
仲介サーバ４００は、録画予約された番組の放送時刻になると、該放送時刻から利用者録画状況記憶手段４０６から録画すべき録画予約を選択する。そして録画予約情報の録画再生装置ＩＤ４０６ｄと利用者ＩＤ４０６ａで利用者録画再生装置情報記憶手段４０４のデータベースから録画を行わせるべき録画再生装置２００を選択する（Ｓ４０１）。
また、該録画予約情報のチャンネルＩＤ４０６ｆでサービス情報記憶手段４０３のデータベースから配信を行わせるべき配信サーバ３００を選択し、配信サーバ要求情報生成手段４１０を用いて該配信サーバ３００の要求情報を作成する（Ｓ４０２）。
そしてサービス情報記憶手段４０３から配信サーバＩＤ４０３ａで識別される配信サーバアドレス４０３ｂに、録画番組情報と、配信サーバ要求情報と、番組配信先となる録画再生装置２００のＩＰアドレスを送信する（Ｓ４０３）。
そして、配信サーバ３００からデコード鍵が送信されるのを待つ。
【００６３】
配信サーバ３００はこれを受信すると、配信番組を復号する際に必要となるデコード鍵を仲介サーバ４００に送信する（Ｓ４０４）。
仲介サーバ４００は、受信したデコード鍵を、利用者ＩＤとログインＩＤ、パスワードと録画番組情報と共に該録画再生装置２００に送信する（Ｓ４０５）。
配信サーバ３００は、デコード鍵を仲介サーバ４００に送信した後配信サーバ要求情報を利用して利用者向けの広告を録画番組情報で指定される配信番組に挿入し（Ｓ４０６）、広告が挿入された配信番組を録画再生装置２００のＩＰアドレスに送信する（Ｓ４０７）。
【００６４】
録画再生装置２００は、配信サーバ３００から受信する配信番組を仲介サーバ４００から受信したデコード鍵を用いて復号しデータを映像コンテンツ記憶手段２０３の記憶メディアに記憶すると共にデータベースにログインした利用者の利用者ＩＤと録画番組情報を録画番組ＥＰＧとして記憶する（Ｓ４０８）。
録画再生装置２００は、録画が完了すると録画が完了したことを、利用者ＩＤと録画番組情報と共に仲介サーバ４００に送信する（Ｓ４０９）。
【００６５】
仲介サーバ４００はこれを受けると、利用者ＩＤと録画番組情報で利用者録画状況記憶手段４０６のデータベースを参照し、参照した録画状況４０６ｅを録画予約から録画完了に変更する（Ｓ４１０）。
【００６６】
［再生］
図１６は、利用者が録画予約した番組を再生する際の利用者端末６００と仲介サーバ４００と録画再生装置との動作を説明するためのフローチャートである。
利用者がリモコン８００などを操作し利用者端末６００から仲介サーバ４００に番組再生要求が送られると（Ｓ５０１）、仲介サーバ４００は番組再生要求の中に含まれる利用者ＩＤと利用者ログインパスワードで利用者を認証し、利用者番組作成手段４０８によって利用者ＩＤを元に利用者録画状況記憶手段４０６のデータベースを参照し、録画状況４０６ｅが録画完了または見逃しサービスで利用期限内の録画番組情報を選択し、利用者が番組を選択するための再生可能番組選択画面を番組表作成手段４０７で作成し（Ｓ５０２）、番組再生要求を送信してきた利用者端末６００に送信する（Ｓ５０３）。
【００６７】
利用者端末６００は、再生可能番組選択画面を受信するとこれをモニタ９００に表示し、利用者はリモコン８００などを操作して所望の番組を選択する（Ｓ５０４）。
利用者端末６００は、選択された番組の番組ＩＤなどを再生番組選択情報として仲介サーバ４００に送信する（Ｓ５０５）。
【００６８】
仲介サーバ４００は、これを受信すると利用者録画状況記憶手段４０６のデータベースにおいて番組ＩＤで識別される録画状況４０６ｅが録画完了か見逃しかを判断し（Ｓ５０６）、見逃しの場合は、配信サーバ要求情報生成手段４１０により配信サーバ要求情報を作成し（Ｓ５０７）、サービス情報記憶手段４０３のデータベースを参照し配信サーバＩＤ４０３ａで識別される配信サーバアドレス４０３ｂに、該番組視聴要求命令と、配信サーバ要求情報と、番組配信先となる利用者端末６００のＩＰアドレスを送信する（Ｓ５０８）。
そして、配信サーバ３００からデコード鍵が送信されるのを待つ。
配信サーバ３００はこれを受信すると、配信番組を復号する際に必要となるデコード鍵を仲介サーバ４００に送信する（Ｓ５０９）。
【００６９】
仲介サーバ４００は、受信したデコード鍵を、番組視聴要求命令を送信してきた利用者端末６００に送信する（Ｓ５１０）。配信サーバ３００は、デコード鍵を仲介サーバ４００に送信した後配信サーバ要求情報を利用して利用者向けの広告を番組視聴要求命令のＥＰＧ情報の番組部分で指定される配信番組に挿入し（Ｓ５１１）、広告が挿入された配信番組を利用者端末６００のＩＰアドレスに送信する（Ｓ５１２）。
【００７０】
利用者端末６００は、配信サーバ３００から受信する配信番組を仲介サーバ４００から受信したデコード鍵を用いて復号しモニタ９００に映像コンテンツを表示する（Ｓ５１３）。
または、仲介サーバ４００が受信した再生番組選択情報にある番組ＩＤで識別される利用者録画状況記憶手段４０６のデータベースの録画状況４０６ｅが録画完了の場合は、利用者ＩＤで仲介サーバ４００の複数の記憶手段のデータベースを参照し、また対応する録画再生装置ＩＤで利用者録画再生装置情報記憶手段４０４のデータベースを参照し（Ｓ５１４）、対応する録画再生装置に、利用者のログインＩＤ、パスワードと利用者端末６００のアドレスと利用者端末機種番号と番組ＩＤとを番組配信要求として送信する（Ｓ５１５）。
【００７１】
録画再生装置２００は、これを受けるとログインＩＤ、パスワードで利用者の認証を行い、番組ＩＤで映像コンテンツ記憶手段２０３のデータベースを参照し録画番組を選択し（Ｓ５１６）、利用者端末機種番号から利用者端末６００に効果的に映像が表示できるように必要であれば録画番組を加工し、利用者端末６００のアドレスに録画番組を配信する（Ｓ５１７）。
利用者端末６００は、録画再生装置から受信する録画番組を映像フレーム作成手段６０４で処理し、モニタ９００に映像コンテンツを表示する（Ｓ５１８）。
【００７２】
［コンテンツ情報転送］
図１７は、利用者がリモコン８００を用いて利用者端末６００からコンテンツ情報を第２の利用者端末５００に転送する際の利用者端末６００の動作を説明するためのフローチャートである。
利用者端末６００がモニタ９００に映像コンテンツを表示している際に（Ｓ６０１）、利用者がリモコン８００から映像コンテンツに付随するコンテンツ情報を表示するよう、コンテンツ情報表示要求を送信する（Ｓ６０２）。
【００７３】
利用者端末６００はこれを受けると、映像コンテンツ復号手段６０６で生成したコンテンツ情報を映像フレーム作成手段６０５によってモニタ９００に表示する（Ｓ６０３）。
利用者がコンテンツ情報を視聴してリモコン８００からコンテンツ情報を転送するよう転送要求を送信すると（Ｓ６０４）、利用者端末６００はこれを受けて、もし転送要求情報に転送先アドレスが含まれていれば（Ｓ６０５、ＹＥＳの場合）、転送先情報記憶手段６０２のアドレスを参照し、対応する通信プロトコルに応じて転送用コンテンツ情報を転送用コンテンツ情報作成手段６０５で作成し（Ｓ６０８）、第２の利用者端末５００に作成したコンテンツ情報を送信する（Ｓ６０９）。
【００７４】
あるいは利用者端末６００が受信した転送要求情報に転送先アドレスが含まれていなければ（Ｓ６０５、ＮＯの場合）、利用者端末６００を起動し使用している利用者ＩＤで転送先情報記憶手段６０２のデータベースの利用者ＩＤを参照し、転送先を選択する、転送先選択画面を映像フレーム作成手段６０４で作成し、モニタ９００に表示する（Ｓ６０６）。
利用者はこれを視聴し、転送先を特定する転送先選択情報をリモコン８００から利用者端末６００に送信する（Ｓ６０７）。
利用者端末６００はこれを受けて、転送先情報記憶手段６０２を参照し、対応する通信プロトコルに応じて転送用コンテンツ情報を転送用コンテンツ情報作成手段６０５で作成し（Ｓ６０８）、第２の利用者端末６００に作成したコンテンツ情報を送信する（Ｓ６０９）。
【００７５】
なお、以上の例では、配信サーバが所在する国単位で利用者（登録者）が要求するサービスを区別するものであったが、サービスを区別する形態はこれに限られず、例えば、ある配信サーバがスポーツのジャンルの番組のみを配信し、他の配信サーバがドラマのジャンルの番組のみを配信する場合は、ジャンルによってサービスを区別してもよい。この場合は、利用者登録情報記憶手段４０１には登録サービス４０１ｄとしてジャンルに関する情報が記憶され、サービス情報記憶手段４０３には、所属国４０３ｅに代えて、配信ジャンルが記憶される。
【符号の説明】
【００７６】
１００…映像配信システムの概略構成図、１０１…インターネット、１０２…映像配信システムの詳細構成図、２００…ｎＰＶＲ、２０１…制御部、２０２…ネットワークデータ送受信手段、２０３…映像コンテンツ記憶手段、３００…配信サーバ、４００…仲介サーバ、４０１…利用者登録情報記憶手段、４０２…利用者番組ガイド記憶手段、４０３…サービス情報記憶手段、４０４…利用者録画再生装置情報記憶手段、４０５…利用者利用状況記憶手段、４０６…利用者録画状況記憶手段、４０７…番組表作成手段、４０８…利用者番組作成手段、４０９…制御部、４１０…配信サーバ要求情報生成手段、４１１…ネットワークデータ送受信手段、５００…第２の利用者端末、６００…利用者端末、６０１…映像コンテンツ記憶手段、６０２…転送先情報記憶手段、６０３…リモコン信号送受信手段、６０４…映像フレーム作成手段、６０５…転送用コンテンツ情報作成手段、６０６…映像コンテンツ復号手段、６０７…ネットワークデータ送受信手段、６０８…電波放送受信手段、６０９…制御部、７００…電波放送局、８００…リモコン、９００…モニタ。
【図１】
2010258873.tif 000003
【図２】
2010258873.tif 000004
【図３】
2010258873.tif 000005
【図４】
2010258873.tif 000006
【図５】
2010258873.tif 000007
【図６】
2010258873.tif 000008
【図７】
2010258873.tif 000009
【図８】
2010258873.tif 000010
【図９】
2010258873.tif 000011
【図１０】
2010258873.tif 000012
【図１１】
2010258873.tif 000013
【図１２】
2010258873.tif 000014
【図１３】
2010258873.tif 000015
【図１４】
2010258873.tif 000016
【図１５】
2010258873.tif 000017
【図１６】
2010258873.tif 000018
【図１７】
2010258873.tif 000019